(57)【要約】【課題】センサによる検知範囲を調整できるエリアマスクを提供する。【解決手段】エリアマスク５は、赤外線によって検知体を検知するセンサ４の検知範囲を調整する。エリアマスク５は、第１マスキング部材５１と第２マスキング部材５２とを備える。第１マスキング部材５１は、第１透過部及び第１マスク部を有する。第１透過部は、赤外線を透過する。第１マスキング部材５１は、赤外線を透過しない。第２マスキング部材５２は、第２透過部及び第２マスク部を有する。第２透過部は、赤外線を透過する。第２マスク部は、赤外線を透過しない。第１マスキング部材５１と第２マスキング部材５２とは重ねて配置される。第１透過部と第２透過部との相対位置は変更自在である。第１透過部と第２透過部との相対位置を変更することによって、第１透過部と第２マスク部とが重なる面積、又は第２透過部と第１マスク部とが重なる面積が変更される。【選択図】図２
2018169219.tif 000002
【特許請求の範囲】
【請求項１】
赤外線によって検知体を検知するセンサの検知範囲を調整するエリアマスクであって、
前記センサによって検知可能なレベルの前記赤外線を透過する第１透過部、及び前記センサによって検知可能なレベルの前記赤外線を透過しない第１マスク部を有する第１マスキング部材と、
前記センサによって検知可能なレベルの前記赤外線を透過する第２透過部、及び前記センサによって検知可能なレベルの前記赤外線を透過しない第２マスク部を有する第２マスキング部材と
を備え、
前記第１マスキング部材と前記第２マスキング部材とは重ねて配置され、
前記第１透過部と前記第２透過部との相対位置は変更自在であり、
前記相対位置を変更することによって、前記第１透過部と前記第２マスク部とが重なる面積、又は前記第２透過部と前記第１マスク部とが重なる面積が変更される、エリアマスク。
【請求項２】
前記センサが備える受光部に向かう方向に前記第２透過部を投影したときの前記第２透過部の第２投影面積は、前記受光部に向かう方向に前記第１透過部を投影したときの前記第１透過部の第１投影面積よりも大きい、請求項１に記載のエリアマスク。
【請求項３】
前記センサが備える受光部に向かう方向に前記第１透過部を投影したときの前記第１透過部の第１投影形状は、略扇形状であり、
前記受光部に向かう方向に前記第２透過部を投影したときの前記第２透過部の第２投影形状は、略扇形状であり、
前記第２投影形状の中心角を示す第２中心角は、前記第１投影形状の中心角を示す第１中心角よりも大きい、請求項１又は請求項２に記載のエリアマスク。
【請求項４】
前記第１マスク部は、内部空間を有し、
前記第２マスク部は、前記第１マスク部の前記内部空間に収容される、請求項１〜請求項３のいずれか１項に記載のエリアマスク。
【請求項５】
前記第１透過部は、前記赤外線が透過する第１開口を含み、
前記第２透過部は、前記赤外線が透過する第２開口を含む、請求項１〜請求項４のいずれか１項に記載のエリアマスク。
【請求項６】
請求項１〜請求項５のいずれか１項に記載のエリアマスクと
前記赤外線を集光する集光部と、
前記赤外線を受光する受光部と
を備え、
前記エリアマスクは、前記集光部を介して前記受光部に対向する、人感センサ。
【請求項７】
請求項６に記載の人感センサと、
灯具本体と
を備え、
前記人感センサによって前記検知体が検知されると、前記灯具本体が点灯する、照明器具。
【発明の詳細な説明】
【技術分野】
【０００１】
本発明は、エリアマスク、人感センサ、及び照明器具に関する。
【背景技術】
【０００２】
特許文献１には、赤外線センサの検知範囲を変更できる赤外線センサ装置が開示されている。特許文献１に開示の赤外線センサ装置は、赤外線センサと、マスキング部材とを備える。マスキング部材は、窓孔が形成された赤外線不透過部材よりなる。マスキング部材は、赤外線センサを覆うことが可能である。赤外線センサは、マスキング部材によって覆われると、その検知範囲がマスキング部材の窓孔内に制限される。
【先行技術文献】
【特許文献】
【０００３】
【特許文献１】特開２００５−３７２９６号公報
【発明の概要】
【発明が解決しようとする課題】
【０００４】
しかしながら、特許文献１に開示の赤外線センサ装置では、マスキング部材によって制限される赤外線センサの検知範囲が、マスキング部材に形成された窓孔の大きさに依存する。このため、特許文献１に開示の赤外線センサ装置では、マスキング部材によって制限される検知範囲を調整することができない。
【０００５】
本発明は上記課題に鑑み、センサの検知範囲を調整できるエリアマスク、人感センサ、及び照明器具を提供することを目的とする。
【課題を解決するための手段】
【０００６】
本願に開示するエリアマスクは、赤外線によって検知体を検知するセンサの検知範囲を調整する。当該エリアマスクは、第１マスキング部材と第２マスキング部材とを備える。前記第１マスキング部材は、第１透過部及び第１マスク部を有する。前記第１透過部は、前記センサによって検知可能なレベルの前記赤外線を透過する。前記第１マスキング部材は、前記センサによって検知可能なレベルの前記赤外線を透過しない。前記第２マスキング部材は、第２透過部及び第２マスク部を有する。前記第２透過部は、前記センサによって検知可能なレベルの前記赤外線を透過する。前記第２マスク部は、前記センサによって検知可能なレベルの前記赤外線を透過しない。前記第１マスキング部材と前記第２マスキング部材とは重ねて配置される。前記第１透過部と前記第２透過部との相対位置は変更自在である。前記相対位置を変更することによって、前記第１透過部と前記第２マスク部とが重なる面積、又は前記第２透過部と前記第１マスク部とが重なる面積が変更される。
【０００７】
本願に開示するエリアマスクは、前記センサが備える受光部に向かう方向に前記第２透過部を投影したときの前記第２透過部の第２投影面積が、前記受光部に向かう方向に前記第１透過部を投影したときの前記第１透過部の第１投影面積よりも大きくてもよい。
【０００８】
本願に開示するエリアマスクは、前記センサが備える受光部に向かう方向に前記第１透過部を投影したときの前記第１透過部の第１投影形状が略扇形状であってもよい。前記受光部に向かう方向に前記第２透過部を投影したときの前記第２透過部の第２投影形状が略扇形状であってもよい。前記第２投影形状の中心角を示す第２中心角が、前記第１投影形状の中心角を示す第１中心角よりも大きくてもよい。
【０００９】
本願に開示するエリアマスクは、前記第１マスク部が、内部空間を有してもよく、前記第２マスク部が、前記第１マスク部の前記内部空間に収容されてもよい。
【００１０】
本願に開示するエリアマスクは、前記第１透過部が、前記赤外線が透過する第１開口を含んでもよい。前記第２透過部が、前記赤外線が透過する第２開口を含んでもよい。
【００１１】
本願に開示する人感センサは、上記のエリアマスクと、集光部と、受光部とを備える。前記集光部は、前記赤外線を集光する。前記受光部は、前記赤外線を受光する。前記エリアマスクは、前記集光部を介して前記受光部に対向する。
【００１２】
本願に開示する照明器具は、上記の人感センサと、灯具本体とを備える。前記人感センサによって前記検知体が検知されると、前記灯具本体が点灯する。
【発明の効果】
【００１３】
本発明によれば、センサの検知範囲を調整することができる。
【図面の簡単な説明】
【００１４】
【図１】（ａ）及び（ｂ）は、本発明の実施形態に係る照明器具を示す図である。
【図２】（ａ）及び（ｂ）は、本発明の実施形態に係る人感センサを示す図である。
【図３】（ａ）〜（ｃ）は、本発明の実施形態に係る第１マスキング部材を示す図である。
【図４】（ａ）〜（ｃ）は、本発明の実施形態に係る第２マスキング部材を示す図である。
【図５】（ａ）は、本発明の実施形態に係る人感センサの筐体を示す図であり、（ｂ）は、図５（ａ）に示すＶｂ−Ｖｂ線に沿った断面を示す図である。
【図６】（ａ）は、本発明の実施形態に係る第１マスキング部材が第１ガイド部に支持される状態を示す図であり、（ｂ）は、本発明の実施形態に係る第２マスキング部材が第２ガイド部に支持される状態を示す図である。
【図７】（ａ）及び（ｂ）は、本発明の実施形態に係る人感センサの検知範囲の調整方法を示す図である。
【図８】（ａ）及び（ｂ）は、本発明の実施形態に係る人感センサの検知範囲の調整方法を示す図である。
【図９】本発明の実施形態に係る人感センサの検知範囲を示す図である。
【図１０】本発明の実施形態に係る人感センサの検知範囲を示す図である。
【図１１】（ａ）は、本発明の実施形態に係る第１マスキング部材の変形例を示す断面図であり、（ｂ）は、本発明の実施形態に係る第２マスキング部材の変形例を示す断面図である。
【図１２】（ａ）は、本発明の実施形態に係る第１マスキング部材の他の変形例を示す断面図であり、（ｂ）は、本発明の実施形態に係る第２マスキング部材の他の変形例を示す断面図である。
【発明を実施するための形態】
【００１５】
以下、図面を参照して本発明に係る照明器具の実施形態について説明する。なお、図中、同一又は相当部分については同一の参照符号を付して説明を繰り返さない。
【００１６】
まず、図１（ａ）及び図１（ｂ）を参照して、本実施形態に係る照明器具１について説明する。図１（ａ）及び図１（ｂ）は、本実施形態に係る照明器具１を示す図である。詳しくは、図１（ａ）は、本実施形態に係る照明器具１を示す斜視図であり、図１（ｂ）は、本実施形態に係る照明器具１を示す側面図である。
【００１７】
図１（ａ）及び図１（ｂ）に示すように、照明器具１は、灯具本体２、基台部３、及び人感センサ４を備える。本実施形態に係る照明器具１は、例えば、玄関先の壁面Ｗに取り付けられて使用される。以下では、照明器具１において灯具本体２が設けられる側を照明器具１の前側として記載し、その反対側を照明器具１の後ろ側として本実施形態を説明する。また、照明器具１において人感センサ４が配置される側を照明器具１の下側とし、その反対側を照明器具１の上側として本実施形態を説明する。更に、照明器具１を前側から見たときの右側を照明器具１の右側とし、その反対側を照明器具１の左側として本実施形態を説明する。
【００１８】
灯具本体２は、光を出射する。灯具本体２は、例えば、ＬＥＤ（Ｌｉｇｈｔ  Ｅｍｉｔｔｉｎｇ  Ｄｉｏｄｅ）基板を有する。基台部３は、電源回路を内部に収容する。電源回路は、外部電源電圧を内部電源電圧に変換して灯具本体２へ供給する。また、基台部３は、人感センサ４を収容する。人感センサ４は、その一部が基台部３の下面から露出する。人感センサ４は、検知範囲を有する。人感センサ４は、検知体が発する赤外線を受光することによって、検知体の有無（存在）を検知する。詳しくは、人感センサ４は、検知範囲から受光する赤外線の変化によって、検知範囲内の検知体の有無（存在）を検知する。灯具本体２は、人感センサ４が検知体を検知すると、点灯する。なお、検知体は、例えば、人体である。
【００１９】
次に、図２（ａ）及び図２（ｂ）を参照して、本実施形態に係る人感センサ４の構成について説明する。図２（ａ）及び図２（ｂ）は、本実施形態に係る人感センサ４を示す図である。詳しくは、図２（ａ）は、図１に示す人感センサ４の近傍を照明器具１の右側から見た図を示し、図２（ｂ）は、図１に示す人感センサ４を照明器具１の前側から見た図を示す。
【００２０】
図２（ａ）に示すように、人感センサ４は、筐体４０、略半球状の集光レンズ４１（集光部の一例）、受光素子４２（受光部の一例）、及びエリアマスク５を有する。エリアマスク５は、例えば、透明の部材であり得る。
【００２１】
筐体４０は、集光レンズ４１の略半球形状の表面の一部が外部に露出するように集光レンズ４１を保持する。受光素子４２は、筐体４０の内部に収容される。受光素子４２は、集光レンズ４１によって集光された赤外線を受光する。受光素子４２は、受光した赤外線を電気信号に変換する。人感センサ４は、受光素子４２から出力される電気信号に基づいて検知体の有無（存在）を検知する。なお、集光レンズ４１は、例えば、フレネルレンズである。
【００２２】
筐体４０は、エリアマスク５を支持する。エリアマスク５は、集光レンズ４１を覆うように設けられる。換言すると、エリアマスク５は、集光レンズ４１を介して受光素子４２と対向する。エリアマスク５は、人感センサ４の検知範囲を調整する。
【００２３】
エリアマスク５は、第１マスキング部材５１及び第２マスキング部材５２を有する。第２マスキング部材５２は、第１マスキング部材５１よりも集光レンズ４１に近い位置に設けられる。
【００２４】
図２（ｂ）に示すように、エリアマスク５は、回転自在に筐体４０に支持される。詳しくは、第１マスキング部材５１及び第２マスキング部材５２は、赤外線の光軸Ｌｘを回転中心として第１回転方向Ｒ１及び第２回転方向Ｒ２に回転自在である。これにより、第１マスキング部材５１及び第２マスキング部材５２の相対位置が変更自在になる。なお、赤外線の光軸Ｌｘは、受光素子４２に直交する。また、赤外線の光軸Ｌｘは、受光素子４２の受光面の中心と交わる。
【００２５】
次に、図３（ａ）〜図３（ｃ）を参照して、本実施形態に係る第１マスキング部材５１について説明する。図３（ａ）〜図３（ｃ）は、本実施形態に係る第１マスキング部材５１を示す図である。詳しくは、図３（ａ）は、本実施形態に係る第１マスキング部材５１の斜視図であり、図３（ｂ）は、本実施形態に係る第１マスキング部材５１を図３（ａ）に示す第１方向Ｄ１に沿って見た図（正面図）であり、図３（ｃ）は、図３（ｂ）に示すＩＩＩＣ−ＩＩＩＣ線に沿った第１マスキング部材５１の断面図である。なお、図３（ａ）に示す第１方向Ｄ１は、図２（ｂ）を参照して説明した赤外線の光軸Ｌｘ（受光素子４２に向かう方向）と平行である。
【００２６】
図３（ａ）に示すように、第１マスキング部材５１は、第１マスク部５１１、第１透過部５１２、第１ツバ部５１３、及びスリット５１４を有する。
【００２７】
第１マスク部５１１は、略半球形状の中空の部材の一部が切り欠かれた形状を有する。第１マスク部５１１は、第２方向Ｄ２（第１方向Ｄ１とは反対方向）に向けて突出する。第１マスク部５１１の切欠き部分は、第１マスク部５１１の中心部５１ｔ（略半球形状の頂点部）から第１マスク部５１１の第１周縁部５１ｒ（略半球形状の周縁部）にわたって形成される。
【００２８】
第１マスク部５１１は、赤外線を透過させないように構成されている。具体的には、図２（ａ）を参照して説明した受光素子４２によって検知可能なレベルの赤外線を透過させないように構成されている。第１マスク部５１１は、例えば、ベース部と被覆部とを有する。ベース部は、赤外線透過材によって構成される。被覆部は、赤外線不透過材によって構成され、ベース部の表面をコートする。赤外線透過材には、例えば、アクリル樹脂が使用される。赤外線不透過材には、例えば、スズ酸化インジウムが使用される。
【００２９】
第１透過部５１２は、赤外線を透過させるように構成されている。具体的には、受光素子４２によって検知可能なレベルの赤外線を透過させるように構成されている。本実施形態において、第１透過部５１２は、第１マスク部５１１の切欠き部分（開口部分）に相当する。
【００３０】
図３（ｂ）に示すように、第１方向Ｄ１に沿って見たときの第１透過部５１２の形状は、略扇形状である。すなわち、第１透過部５１２を第１方向Ｄ１（受光素子４２に向かう方向）に投影したときの投影形状は、略扇形状である。以下、第１透過部５１２の投影形状を「第１投影形状５１２ｓ」と記載する。本実施形態において、第１投影形状５１２ｓは、中心角θ１を有する。第１投影形状５１２ｓの中心角θ１は、例えば、９０度である。以下、第１投影形状５１２ｓの中心角θ１を「第１中心角θ１」と記載する。
【００３１】
第１ツバ部５１３は、第１周縁部５１ｒを囲む略ドーナツ形状を有する。第１ツバ部５１３は、第１内縁部５１３ｅ及び第１外縁部５１３ｄを有する。第１内縁部５１３ｅは、第１周縁部５１ｒと接続する。第１ツバ部５１３の第１内縁部５１３ｅと第１外縁部５１３ｄとの間には、スリット５１４が設けられる。スリット５１４は、第１ツバ部５１３の第１内縁部５１３ｅ及び第１外縁部５１３ｄに沿って、連続的に形成される。なお、スリット５１４の始端５１４ｓと終端５１４ｅとは接続していない。
【００３２】
図３（ｃ）に示すように、第１マスキング部材５１は、第１突起部５１５を更に有する。なお、図３（ａ）及び図３（ｂ）では、理解を容易にするために、第１突起部５１５を図示していない。第１突起部５１５は、断面視略Ｌ字形状の部材であって、第１挿入部５１５ａ及び第１当接部５１５ｃを有する。第１挿入部５１５ａは、第１ツバ部５１３に接続し、第１ツバ部５１３側を基端として第１方向Ｄ１に向けて突出する。第１当接部５１５ｃは、第１挿入部５１５ａの先端部に接続し、第１挿入部５１５ａの先端部側を基端として、第１ツバ部５１３の径方向の外方に向けて突出する。第１当接部５１５ｃは、第１ツバ部５１３側に第１当接面５１５ｓを有する。
【００３３】
本実施形態において、第１突起部５１５は、第１ツバ部５１３の第１外縁部５１３ｄに沿って連続的に設けられる。なお、第１突起部５１５は、第１ツバ部５１３の第１外縁部５１３ｄに沿って離散的に設けられてもよい。
【００３４】
続いて、図４（ａ）〜図４（ｃ）を参照して、本実施形態に係る第２マスキング部材５２の構成について説明する。図４（ａ）〜図４（ｃ）は、本実施形態に係る第２マスキング部材５２を示す図である。詳しくは、図４（ａ）は、本実施形態に係る第２マスキング部材５２の斜視図であり、図４（ｂ）は、図２（ａ）に示す第１方向Ｄ１に沿って第２マスキング部材５２を見た図（正面図）であり、図４（ｃ）は、図４（ｂ）に示すＩＶＣ−ＩＶＣ線に沿った第２マスキング部材５２の断面図である。
【００３５】
図４（ａ）に示すように、第２マスキング部材５２は、第２マスク部５２１、第２透過部５２２、第２ツバ部５２３、及び取っ手部５２４を有する。
【００３６】
第２マスク部５２１は、略半球形状の中空の部材一部が切り欠かれた形状を有する。第２マスク部５２１は、第２方向Ｄ２に向けて突出する。第２マスク部５２１の切欠き部分は、第２マスク部５２１の中心部５２ｔ（略半球形状の頂点部）から第２マスク部５２１の第２周縁部５２ｒ（略半球形状の周縁部）にわたって形成される。
【００３７】
第２マスク部５２１は、赤外線を透過させないように構成される。具体的には、図２（ａ）を参照して説明した受光素子４２によって検知可能なレベルの赤外線を透過させないように構成されている。第２マスク部５２１は、例えば、ベース部と被覆部とを有する。ベース部は、赤外線透過材によって構成される。被覆部は、赤外線不透過材によって構成され、ベース部の表面をコートする。赤外線透過材には、例えば、アクリル樹脂が使用される。赤外線不透過材には、例えば、スズ酸化インジウムが使用される。第２マスク部５２１は、図３（ａ）〜図３（ｃ）を参照して説明した第１マスク部５１１の内部空間に収容される。
【００３８】
第２透過部５２２は、赤外線を透過させるように構成されている。具体的には、受光素子４２によって検知可能なレベルの赤外線を透過させるように構成されている。第２透過部５２２は、本実施形態において、第２マスク部５２１の切欠き部分（開口部分）に相当する。
【００３９】
図４（ｂ）に示すように、第１方向Ｄ１に沿って見たときの第２透過部５２２の形状は、略扇形状である。すなわち、第２透過部５２２を第１方向Ｄ１（受光素子４２に向かう方向）に投影したときの投影形状は、略扇形状である。以下、第２透過部５２２の投影形状を「第２投影形状５２２ｓ」と記載する。
【００４０】
本実施形態において、第２投影形状５２２ｓは、中心角θ２を有する。以下、第２投影形状５２２ｓの中心角θ２を「第２中心角θ２」と記載する。第２中心角θ２は、図３（ｂ）を参照して説明した第１中心角θ１よりも大きい。したがって、第２投影形状５２２ｓの面積（第２投影面積）は、第１投影形状５１２ｓの面積（第１投影面積）よりも大きい。第２中心角θ２は、例えば、２７０度である。なお、第１中心角θ１と第２中心角θ２との合計は、３６０度であることが好ましい。これにより、図１（ａ）を参照して説明した人感センサ４の検知範囲の調整の自由度が向上する。なお、第２投影形状５２２ｓ（扇形状）の半径ｒ２は、第１投影形状５１２ｓ（扇形状）の半径ｒ１（図３（ｂ）参照）よりも小さい。
【００４１】
第２ツバ部５２３は、第２周縁部５２ｒを囲む略ドーナツ形状を有する。第２ツバ部５２３は、第２内縁部５２３ｅと第２外縁部５２３ｄとを有する。第２内縁部５２３ｅは、第２周縁部５２ｒと接続する。第２ツバ部５２３の第２内縁部５２３ｅと第２外縁部５２３ｄとの間には、取っ手部５２４が設けられる。
【００４２】
図４（ｃ）に示すように、取っ手部５２４は、第２ツバ部５２３から第２方向Ｄ２に向けて突出する。取っ手部５２４は、図３（ａ）及び図３（ｂ）を参照して説明した第１マスキング部材５１のスリット５１４に挿通されて、スリット５１４（第１ツバ部５１３）から第２方向Ｄ２に突出する。ユーザーは、スリット５１４から突出した取っ手部５２４を手指でつまむことにより、第２マスキング部材５２を容易に回転させることができる。
【００４３】
また、第２マスキング部材５２は、第２突起部５２５を更に有する。なお、図４（ａ）及び図４（ｂ）では、理解を容易にするために、第２突起部５２５を図示していない。第２突起部５２５は、断面視略Ｌ字形状の部材であって、第２挿入部５２５ａ及び第２当接部５２５ｃを有する。第２挿入部５２５ａは、第２ツバ部５２３に接続し、第２ツバ部５２３側を基端として第１方向Ｄ１に向けて突出する。第２当接部５２５ｃは、第２挿入部５２５ａの先端部に接続し、第２挿入部５２５ａの先端部側を基端として、第２ツバ部５２３の径方向の外方に向けて突出する。第２当接部５２５ｃは、第２ツバ部５２３側に第２当接面５２５ｓを有する。
【００４４】
本実施形態において、第２突起部５２５は、第２ツバ部５２３の第２外縁部５２３ｄに沿って連続的に設けられる。なお、第２突起部５２５は、第２ツバ部５２３の第２外縁部５２３ｄに沿って離散的に設けられてもよい。
【００４５】
次に、図５（ａ）〜図６（ｂ）を参照して、本実施形態に係る人感センサ４の構成について更に説明する。
【００４６】
図５（ａ）は、本実施形態に係る人感センサ４の筐体４０を示す図である。詳しくは、図５（ａ）は、図２（ａ）に示す第１方向Ｄ１に沿って筐体４０を見た図である。図５（ｂ）は、図５（ａ）に示すＶＢ−ＶＢ線に沿った断面を示す図である。なお、図５（ａ）及び図５（ｂ）では、理解を容易にするために、図２（ａ）及び図２（ｂ）を参照して説明した集光レンズ４１を２点鎖線で示している。
【００４７】
図５（ａ）に示すように、筐体４０は、第１ガイド部４０１及び第２ガイド部４０２を有する。本実施形態において、第１ガイド部４０１及び第２ガイド部４０２は溝である。第１ガイド部４０１及び第２ガイド部４０２は、円形状であり、集光レンズ４１の周りに沿って形成される。好ましくは、第１ガイド部４０１及び第２ガイド部４０２は、同心円である。第１ガイド部４０１は、第１ガイド部４０１の径方向において、第２ガイド部４０２よりも集光レンズ４１から離れた位置に形成される。
【００４８】
図５（ｂ）に示すように、第１ガイド部４０１の断面は、略Ｌ字形状であって、図３（ｃ）を参照して説明した第１マスキング部材５１の第１突起部５１５の形状に対応している。第１ガイド部４０１は、第１支持面４０１ｓを有する。第１支持面４０１ｓには、図３（ｃ）を参照して説明した第１当接部５１５ｃの第１当接面５１５ｓが当接する。
【００４９】
第２ガイド部４０２の断面形状は、略Ｌ字形状であって、図４（ｃ）を参照して説明した第２マスキング部材５２の第２突起部５２５の形状に対応している。第２ガイド部４０２は、第２支持面４０２ｓを有する。第２支持面４０２ｓには、図４（ｃ）を参照して説明した第２当接部５２５ｃの第２当接面５２５ｓが当接する。
【００５０】
図６（ａ）は、本実施形態に係る第１マスキング部材５１が第１ガイド部４０１に支持される状態を示す図であり、図６（ｂ）は、本実施形態に係る第２マスキング部材５２が第２ガイド部４０２に支持される状態を示す図である。なお、図６（ａ）では、第１マスキング部材５１を２点鎖線で示し、図６（ｂ）では、第２マスキング部材５２を２点鎖線で示している。
【００５１】
図６（ａ）に示すように、第１ガイド部４０１には、図３（ｃ）を参照して説明した第１マスキング部材５１の第１突起部５１５が嵌合する。第１突起部５１５が第１ガイド部４０１に嵌合すると、第１突起部５１５の第１当接面５１５ｓが第１マスキング部材５１の自重によって第１ガイド部４０１の第１支持面４０１ｓに当接する。本実施形態において、第１当接面５１５ｓは、第１支持面４０１ｓに対してスライド可能である。したがって、第１マスキング部材５１は、第１ガイド部４０１に摺動（スライド）自在に支持される。
【００５２】
図６（ｂ）に示すように、第２ガイド部４０２には、図４（ｃ）を参照して説明した第２マスキング部材５２の第２突起部５２５が嵌合する。第２突起部５２５が第２ガイド部４０２に嵌合すると、第２突起部５２５の第２当接面５２５ｓが第２マスキング部材５２の自重によって第２ガイド部４０２の第２支持面４０２ｓに当接する。本実施形態において、第２当接面５２５ｓは、第２支持面４０２ｓに対してスライド可能である。したがって、第２マスキング部材５２は、第２ガイド部４０２に摺動（スライド）自在に支持される。
【００５３】
次に、図７（ａ）〜図１０を参照して、本実施形態に係る人感センサ４の検知範囲Ａｋの調整方法について説明する。図７（ａ）〜図８（ｂ）は、本実施形態に係るエリアマスク５による検知範囲Ａｋの調整方法を示す図である。なお、図７（ａ）〜図８（ｂ）は、第１マスキング部材５１及び第２マスキング部材５２を、図２（ａ）に示す第１方向Ｄ１に沿って見た図である。
【００５４】
図３（ａ）及び図４（ａ）を参照して説明したように、赤外線は、第１マスク部５１１及び第２マスク部５２１を透過しない。一方、第１透過部５１２及び第２透過部５２２は、赤外線を透過することができる。したがって、赤外線は、第１透過部５１２と第２透過部５２２とが重なる領域を透過する。換言すると、エリアマスク５を第１方向Ｄ１に沿って見たとき、赤外線は、第１投影形状５１２ｓと第２投影形状５２２ｓとが重なる領域を透過する。以下、第１投影形状５１２ｓと第２投影形状５２２ｓとが重なる領域を「赤外線透過領域Ａｒ」と記載する。また、本実施形態において、赤外線透過領域Ａｒは、中心角θを有する。以下、赤外線透過領域Ａｒの中心角θを「中心角θａ」と記載する。なお、図７（ａ）〜図８（ｂ）では、理解を容易にするために、赤外線透過領域Ａｒをハッチングで示している。
【００５５】
図７（ａ）に示す状態では、第１マスク部５１１は、第２投影形状５２２ｓ（第２透過部５２２）と重なっているが、第２マスク部５２１は、第１投影形状５１２ｓ（第１透過部５１２）と重なっていない。したがって、赤外線透過領域Ａｒの中心角θａは、図３（ｂ）を参照して説明した第１中心角θ１と等しい。以下、図７（ａ）に示す赤外線透過領域Ａｒの中心角θａを「中心角θａ１」と記載する。また、図７（ａ）に示す赤外線透過領域Ａｒを「第１赤外線透過領域Ａｒ１」と記載する。
【００５６】
図７（ａ）示す状態から、図７（ｂ）に示すように、ユーザーが第２マスキング部材５２を回転角θｍ１だけ第１回転方向Ｒ１に回転させると、第２マスク部５２１の一部が、第１投影形状５１２ｓ（第１透過部５１２）と重なる。この結果、赤外線透過領域Ａｒの中心角θａは、「θａ２」（＝θａ１−θｍ１）となり、赤外線透過領域Ａｒが狭くなる。以下、図７（ｂ）に示す赤外線透過領域Ａｒを「第２赤外線透過領域Ａｒ２」と記載する。
【００５７】
また、図７（ｂ）に示す状態から、図８（ａ）に示すように、第２マスキング部材５２を回転角θｍ２だけ第１回転方向Ｒ１に更に回転させると、第２マスク部５２１の第１投影形状５１２ｓ（第１透過部５１２）に重なる面積が大きくなる。この結果、赤外線透過領域Ａｒの中心角θａは、「θａ３」（＝θａ２−θｍ２）となり、赤外線透過領域Ａｒが更に狭くなる。以下、図８（ａ）に示す赤外線透過領域Ａｒを「第３赤外線透過領域Ａｒ３」と記載する。
【００５８】
また、図８（ａ）に示す状態から、図８（ｂ）に示すように、第１マスキング部材５１を回転角θｍ３だけ第１回転方向Ｒ１に回転させると、赤外線透過領域Ａｒの中心角θａは、θａ４（＝θａ３＋θｍ３）となり、赤外線透過領域Ａｒが広くなる。図８（ｂ）に示す例では、第１マスキング部材５１は、第２マスク部５２１と第１投影形状５１２ｓ（第１透過部５１２）とが重ならない位置まで回転している。したがって、赤外線透過領域Ａｒの中心角θａ４は、第１中心角θ１と等しい。以下、図８（ｂ）に示す赤外線透過領域Ａｒを「第４赤外線透過領域Ａｒ４」と記載する。
【００５９】
次に、図９及び図１０をして、本実施形態に係る人感センサ４の検知範囲Ａｋについて説明する。図９及び図１０は、本実施形態に係る人感センサ４の検知範囲Ａｋを示す図である。
【００６０】
図９に示すように、人感センサ４の検知範囲Ａｋは、第１検知範囲Ａｋ１、第２検知範囲Ａｋ２、及び第３検知範囲Ａｋ３を含む。なお、図９では、理解を容易にするために、第１検知範囲Ａｋ１を破線で示し、第２検知範囲Ａｋ２を１点鎖線で示し、第３検知範囲Ａｋ３を２点鎖線で示している。
【００６１】
検知範囲Ａｋは、図７（ａ）〜図８（ａ）を参照して説明した赤外線透過領域Ａｒに対応する。詳しくは、第１検知範囲Ａｋ１は、図７（ａ）に示す第１赤外線透過領域Ａｒ１に対応する。第２検知範囲Ａｋ２は、図７（ｂ）に示す第２赤外線透過領域Ａｒ２に対応する。第３検知範囲Ａｋ３は、図８（ａ）に示す第３赤外線透過領域Ａｒ３に対応する。
【００６２】
図７（ａ）及び図７（ｂ）を参照して説明したように、第２赤外線透過領域Ａｒ２の中心角θａ２は、第１赤外線透過領域Ａｒ１の中心角θａ１よりも小さい。この結果、図９に示すように、第２検知範囲Ａｋ２は、第１検知範囲Ａｋ１よりも狭くなる。また、図７（ｂ）及び図８（ａ）を参照して説明したように、第３赤外線透過領域Ａｒ３の中心角θａ３は、第２赤外線透過領域Ａｒ２の中心角θａ２よりも小さい。この結果、第３検知範囲Ａｋ３は、第２検知範囲Ａｋ２よりも狭くなる。
【００６３】
図１０に示すように、検知範囲Ａｋは、第４検知範囲Ａｋ４を更に含む。なお、図１０では、理解を容易にするために、第１検知範囲Ａｋ１を破線で示し、第４検知範囲Ａｋ４を２点鎖線で示している。第４検知範囲Ａｋ４は、図８（ｂ）に示す第４赤外線透過領域Ａｒ４に対応する。図１０に示すように、照明器具１から見たときの第４検知範囲Ａｋ４の方向は、第１検知範囲Ａｋ１とは異なっている。
【００６４】
また、図８（ｂ）を参照して説明したように、第４赤外線透過領域Ａｒ４の中心角θａ４は、第１赤外線透過領域Ａｒ１の中心角θａ１と等しい。この結果、第４検知範囲Ａｋ４は、図９を参照して説明した第２検知範囲Ａｋ２及び第３検知範囲Ａｋ３よりも広く、第１検知範囲Ａｋ１と等しい。
【００６５】
以上、本発明の実施形態について説明した。本実施形態によれば、図７（ａ）〜図８（ｂ）を参照して説明したように、第１透過部５１２と第２透過部５２２との相対位置を変化させることにより、検知範囲Ａｋ及び照明器具１から見たときの検知範囲Ａｋの方向を容易に調整することができる。したがって、妨害信号（例えば、外乱となる赤外線）が発生する頻度が高い場所であっても、検知範囲Ａｋを調整することにより、妨害信号の影響を回避することができる。この結果、人感センサ４は、安定して検知体を検知することができる。
【００６６】
また、本実施形態によれば、第２透過部５２２の大きさ（第２投影面積）が、第１透過部５１２の大きさ（第１投影面積）よりも大きく、第２透過部５２２の大きさ（第２投影面積）と第１透過部５１２の大きさ（第１投影面積）とが異なる。したがって、人感センサ４の検知範囲Ａｋを微調整することができる。
【００６７】
なお、本実施形態において、第２透過部５２２の大きさ（第２投影面積）が第１透過部５１２の大きさ（第１投影面積）よりも大きい構成を説明したが、第２透過部５２２の大きさ（第２投影面積）と第１透過部５１２の大きさ（第１投影面積）とは等しくてもよい。あるいは、第１透過部５１２の大きさ（第１投影面積）が第２透過部５２２の大きさ（第２投影面積）より大きくてもよい。
【００６８】
また、本実施形態において、第２中心角θ２が第１中心角θ１よりも大きい構成を説明したが、第１中心角θ１と第２中心角θ２とは等しくてもよい。あるいは、第１中心角θ１が第２中心角θ２より大きくてもよい。
【００６９】
また、本実施形態において、第１マスク部５１１によって形成される内部空間に第２マスク部５２１が収容される構成を説明したが、第２マスク部５２１によって形成される内部空間に第１マスク部５１１が収容されてもよい。
【００７０】
また、本実施形態において、第１透過部５１２及び第２透過部５２２が開口である構成を説明したが、第１透過部５１２及び第２透過部５２２は、赤外線を透過させる構成であればよい。例えば、第１マスキング部材５１及び第２マスキング部材５２を赤外線が透過する材料（例えば、アクリル樹脂）で構成し、第１マスキング部材５１及び第２マスキング部材５２の各々の一部分の表面を、赤外線を透過させない赤外線不透過材（例えば、スズ酸化インジウム）によってコートしてもよい。
【００７１】
また、本実施形態において、第１マスク部５１１及び第２マスク部５２１がベース部と被覆部とを有する構成を説明したが、例えば、第１マスク部５１１及び第２マスク部５２１は、赤外線を透過する材料（例えば、アクリル樹脂）に赤外線不透過材（例えば、スズ酸化インジウム）を添加することによって形成してもよい。
【００７２】
また、本実施形態において、第１突起部５１５の断面形状が、略Ｌ字形状である形態について説明したが、第１突起部５１５の断面形状は、略Ｌ字形状に限定されない。
【００７３】
例えば、図１１（ａ）に示すように、第１突起部５１５の断面形状は、略Ｉ字形状であってもよい。図１１（ａ）は、本実施形態に係る第１マスキング部材５１の変形例を示す断面図である。図１１（ａ）に示す第１マスキング部材５１において、第１突起部５１５は、第１当接部５１５ｃを含まない。この場合、第１挿入部５１５ａの弾性力によって第１挿入部５１５ａの壁面を第１ガイド部４０１の壁面に当接させてもよい。換言すると、第１挿入部５１５ａの弾性力によって、第１突起部５１５が第１ガイド部４０１に支持されてもよい。なお、第１ガイド部４０１の断面形状は、第１突起部５１５の断面形状に応じて変更され得る。具体的には、第１突起部５１５の断面形状が略Ｉ字形状である場合、第１ガイド部４０１の断面形状は、略Ｉ字形状であり得る。
【００７４】
同様に、第２突起部５２５の形状は、略Ｉ字形状であってもよい。図１１（ｂ）は、本実施形態に係る第２マスキング部材５２の変形例を示す断面図である。図１１（ｂ）に示す第２マスキング部材５２において、第２突起部５２５は、第２当接部５２５ｃを含まない。この場合、第２挿入部５２５ａの弾性力によって第２挿入部５２５ａの壁面を第２ガイド部４０２の壁面に当接させてもよい。換言すると、第２挿入部５２５ａの弾性力によって、第２突起部５２５が第２ガイド部４０２に支持されてもよい。
【００７５】
また、本実施形態において、第１マスキング部材５１及び第２マスキング部材５２が人感センサ４の筐体４０によって回転自在に支持される構成を説明したが、第１マスキング部材５１及び第２マスキング部材５２の少なくとも一方が、人感センサ４の筐体４０に対して回転自在でなくてもよい。例えば、第１マスキング部材５１が第１ガイド部４０１に対して取り外し自在に構成され、第２マスキング部材５２が第２ガイド部４０２によって回転自在に支持されてもよい。この場合、ユーザーは、第１ガイド部４０１から第１マスキング部材５１を取り外し、第１透過部５１２と第２透過部５２２との相対位置が変化するように、第１マスキング部材５１を第１ガイド部４０１に取付けて赤外線透過領域Ａｒを調整してもよい。
【００７６】
また、本実施形態において、第２マスキング部材５２が取っ手部５２４を有し、ユーザーが、第１マスキング部材５１のスリット５１４から突出する取っ手部５２４を手指でつまみ第２マスキング部材５２を回転させる構成を説明したが、取っ手部５２４及びスリット５１４は、省略されてもよい。この場合、ユーザーは、第１マスキング部材５１の第１透過部５１２（開口）を介して、第２マスキング部材５２を回転させてもよい。
【００７７】
また、本実施形態において、第１マスキング部材５１が第１ツバ部５１３を有する構成を説明したが、図１２（ａ）に示すように、第１ツバ部５１３は省略されてもよい。図１２（ａ）は、本実施形態に係る第１マスキング部材５１の他の変形例を示す断面図である。図１２（ａ）に示す構成において、第１マスク部５１１は、略半球形状の中空の部材の第１周縁部５１ｒを全周にわたって備え、第１突起部５１５は、第１マスク部５１１の第１周縁部５１ｒ（略半球形状の周縁部）から突出する。また、図１２（ｂ）に示すように、第２マスキング部材５２において、第２ツバ部５２３は省略されてもよい。図１２（ｂ）は、本実施形態に係る第２マスキング部材５２の他の変形例を示す断面図である。図１２（ｂ）に示す構成において、第２マスク部５２１は、略半球形状の中空の部材の第２周縁部５２ｒを全周にわたって備え、第２突起部５２５は、第２マスク部５２１の第２周縁部５２ｒ（略半球形状の周縁部）から突出する。
【００７８】
また、本実施形態において、第１投影形状５１２ｓ及び第２投影形状５２２ｓが略扇形状であったが、第１投影形状５１２ｓ及び第２投影形状５２２ｓは、略扇形状に限定されない。例えば、第１投影形状５１２ｓ及び第２投影形状５２２ｓは、矩形状であってもよい。投影形状が異なる複数種類のエリアマスクを用意することにより、赤外線透過領域の形状の選択が可能となる。
【００７９】
また、本実施形態では、２つのマスキング部材（第１マスキング部材５１及び第２マスキング部材５２）を重ねる構成を説明したが、３つ以上のマスキング部材が重ねられてもよい。３つ以上のマスキング部材を重ねることにより、複数の方向に検知範囲を設定し、それぞれの検知範囲の微調整が可能となる。なお、３つ以上のマスキング部材の形状は同じであってもよいし、それぞれ異なってもよい。
【００８０】
以上、本発明の実施形態について、図面（図１〜図１２）を参照しながら説明した。但し、本発明は、上記の実施形態に限られるものではなく、その要旨を逸脱しない範囲で種々の態様において実施することが可能である。また、上記の実施形態で示す数値や形状、及び各構成要素の材質等は、一例であって特に限定されるものではなく、本発明の効果から実質的に逸脱しない範囲で種々の変更が可能である。
【００８１】
例えば、本発明の実施形態では、壁面Ｗに設けられる照明器具１を例に説明したが、本発明は、例えば、天井面に設けられる照明器具にも適用され得る。
【符号の説明】
【００８２】
１        照明器具
２        光源
４        人感センサ
５        エリアマスク
４１      集光レンズ
４２      受光素子
５１      第１マスキング部材
５２      第２マスキング部材
５１１    第１マスク部
５１２    第１透過部
５１２ｓ  第１投影形状
５２１    第２マスク部
５２２    第２透過部
５２２ｓ  第２投影形状
θ１      第１中心角
θ２      第２中心角
【図１】
2018169219.tif 000003
【図２】
2018169219.tif 000004
【図３】
2018169219.tif 000005
【図４】
2018169219.tif 000006
【図５】
2018169219.tif 000007
【図６】
2018169219.tif 000008
【図７】
2018169219.tif 000009
【図８】
2018169219.tif 000010
【図９】
2018169219.tif 000011
【図１０】
2018169219.tif 000012
【図１１】
2018169219.tif 000013
【図１２】
2018169219.tif 000014